(57)【要約】      （修正有）【課題】家庭の風呂で使用でき、人体の（ソマチット）を活性化させることにより、健康と美容にに役立つ、マイナスイオン発生器具を提供する。【解決手段】トルマリン鉱石、黒曜石及び、リンサンエン鉱物を混合したイオンボール１３を含む鉱石収納装置１にエアーを送り、発生したマイナスイオンを酸素および風呂の湯に中和させる。マイナスイオンは入浴しながら呼吸・口・鼻・皮膚、等から吸収されて人体の（ソマチット）に免疫力がつき、低温で発汗でき、健康と美容に役立つ。【選択図】図−１
2014008065.tif 000002
【特許請求の範囲】
【請求項１】
人間は癌（ガン）・色々の病気にどうしてなるのか？病気を予防する方法は？
家庭で入浴を楽しみながら人体の（ソマチット）に（エサ）マイナスイオン「自由電位」を毎日与えて（ソマチット）を元気にする事により、体内の免疫力を高める、その（自由電位）マイナスイオン発生できる器具の開発です。
人間の体は、約６５個の原子から成り立っているのです。胃・腸・内臓・骨・皮膚・細胞等です。その（細胞）が原子です。
原子核の真ん中がプラス電気。外側の電子が、マイナス電気である。
人間の体内に細胞の数が（約６０兆）以上有ると言われています。（ソマチット）は細胞（６０兆）の何十倍〜何千倍も存在する超微小生命体の生きものです。
文明の変化により環境が悪化し・食料の悪化等で（ソマチット）の活動が悪化し不明な病気が増加していく時代と共に医療費の負担が増加している現況です。
【請求項２】
人体の（ソマチット）は（自由電位・マイナスイオン）が大好きです。マイナスイオンが（ソマチット）の活動と活性化によって、免疫力が向上して、健康予防に最適です。トルマリン鉱石と黒曜石（電気鉱石ラジウム鉱石）等を混合し、エアーの圧力でマイナスイオンを作成し湯壺で濃度の高いマイナスイオンと酸素及び湯の中で、中和されます。入浴しながら鼻・口・皮膚から人体にマイナスイオンが吸収し体内の（ソマチット）に免疫力をつけ活性化できる装置の開発です。
【請求項３】
長野県和田峠産の黒曜石を長年研究した結果、黒曜石とトルマリン鉱石及び、リンサンエン鉱物を混合し、イオンボールを開発した、他には類の無い強力マイナスイオンが発生するイオンボールの作成が出来、人体に良いイオンの成分が出来たのです。秋田県の玉摩川温泉（北投石）以上のマイナスイオン発生が出来る黒曜石イオンボールが開発しました、黒曜石イオンボールから出るマイナスイオンは、１ボール（Φ１０ｍｍ）当り２０秒間に２７００個１ＣＣ（株式会社佐藤商事形式ＣＯＭ−３０１０ＰＲＯ使用）の検査測定器から出ています。（公序良俗違反につき、不掲載）上記の、（公序良俗違反につき、不掲載）、佐藤会社の測定機で測定の結果２０秒間に１ｃｍ３から１０．０００個以上のマイナスイオンが半永久的持続します。体内の（ソマチット）に多量のマイナスイオンを入浴しながら、免疫力を与える事によって    美と健康予防になる最適な開発器具です。
【発明の詳細な説明】
【技術分野】
【背景技術】
【０００１】  本発明は、人体の（ソマチット）に免疫力を入浴しながら、マイナスイオンを与えて美と健康予防になる器具の開発です。
【発明の開示】
【０００２】  マイナスイオン発生方法は数多く有りますが、マイナスイオン発生量が少量の為、環境の悪化により電磁波が多くマイナスイオンの役割が少量である。
【発明が解決しようとする課題】
【０００３】  病気になる原点は人体の（ソマチット）活動の悪化が原因のようです。
２１世紀の美と健康は、（ソマチット）を活性化させる為のマイナスイオン（自由電位）（エサ）を与えて、体内の（ソマチット）に免疫力をつけ活性化させて健康になる方法の時代です。
人間の体は、約６５個の原子から成り立っている。世の中の全ての物は、１０３個の原子から成り立っていると言われています。原子とは？水は２個の原子（Ｈ２Ｏ）水素と酸素で水になります。人体は、胃・腸・内臓・骨・皮膚・それを小さくすると（細胞）になります。細胞が人間の原子です。
【０００４】  細胞の真ん中に原子核があります。原子核がプラス電気です。細胞の外側の電子が、マイナス電子（マイナス電気）です。毎日安定している状態が良いですが・・・現代の生活環境が悪化し、輸入食品・赤外線・電磁波・排ガス・ストレス等でマイナスイオンが人体から飛び出し、人体が酸化する事で病気になるのです。この状態を不対電子（フリーラジカル）と言います。
【０００５】  人体の新しい、細胞・骨・血液・等を作るものが（ソマチット）の活力です。
（ソマチット）の（エサ）になるのが（自由電子・マイナスイオン）です・その重要な（マイナスイオン）が家庭の入浴場で発生できる画期的な開発装置です。
【０００６】  人間の体内に細胞の数が（６０兆）、その（ソマチット）は細胞、６０兆の何十倍〜何千倍も人体に存在する超微小生生命体の生きものに活性化させて健康にする方法です。
【０００７】マイナスイオンは森林浴（滝壺）近辺に多く発生していますが、毎日家中で森林浴に行く事は不可能です。ブクブクマイナスイオン発生装置は、トルマリン鉱石×黒曜石×その他の  鉱山鉱石の組み合わせにより（図面Ｉ〜３）の方法でマイナスイオンが作成できます。（マイナスイオン）鉱石測定器数値は（１ｃｍ３）から２０秒間に１万個以上の（マイナスイオン）が半永久持続する方法です。
【０００８】  （ソマチット）は人体の赤血球の近辺をチラチラと活動している超微小生命体で大きさは（８０ナノメートル）である。普通の光学顕微鏡では発見できないほど超微小生命体の生きものである。（ソマチット）をマイナスイオン水に入れると自然に（ソマチット）が元気に活動する事が発見できたのです。フランスの（ガストン・ネサンの研究で発見されたのです）。
【課題を解決するための手段】
【０００９】  家庭の浴室内もマイナスイオンが充満され、風呂の中でマイナスイオンと酸素と湯が中和されて、入浴しながら  呼吸・口・鼻・皮膚、等から吸収されて  人体の（ソマチット）に免疫力がつき、低温で発汗できる装置です。
【００１０】長野県和田峠産黒曜石を利用した黒曜石とトルマリン鉱石及びリンサンエン鉱物を粉末ミックスに作成して、９００度から１０００度、以下でセラミックスボル（図面−３）の１３強力特殊マイナスイオンボールを作成し、（図面１）のように特  殊マイナスイオンボールを設置する。又、（図面２）のように強力特殊マイナス  イオンボールをセットし、（図面−５）のエアーポンプから空気を送風し、湯壺の  中に（図面−１）マイナスイオン発生装置を蛇口から（８）ツリ下げて、マイナスイオ  ンが湯壺の中で湯と酸素混合させる装置です。
【発明の効果】
【００１１】  トルマリン鉱石は人体に効能効果がある薬石として世間で数多くの色々な方法で使用されている鉱石である。特にトルマリン鉱石を飲料水に多く使用されている、その鉱石を使用する事により身体全体の活性化が出来る。
黒曜石は昔から健康水として黒曜石を色々な方法で加工されて使用している。
特許出願者荻原大が開発した数多くのサウナ・関係、及び岩盤浴関係に関して黒曜石を使用した事は、類の無い初期開発である。
【発明を実施するための最良の形態】
【００１２】使用する黒曜石は産地として有名な長野県和田峠産であり、その成分含有率の一例を表１に示す。【表１】
2014008065.tif 000003
【表２】
2014008065.tif 000004  上記の鉱石で長年実験と体験場（当社）岩盤浴１０万人の入浴者の美と健康予防の実績結果です。体験者要望により、家庭で効能効果が出る器具の開発です。  （公序良俗違反につき、不掲載）半永久的マイナスイオンが発生持続し、メンテナスが少なく使用が簡単に出来る  コンパクト装置である。又、寝床の布団の中に、抱いて寝ると入浴してマイナスイオン風呂と同様の効能効果があります。浴室の壁・タイル等のカビの問題は抗菌作用が良く解決が出来ました。【００１３】  （図面−４）の説明、脱衣室にエアー（ブロアー）をセットするため、ホースの穴を壁又は、ドアーに穴を開けてホースを通す事が良いですが、工事の出来ない場合は、ホースの太さだけドアー開けてホースを通すため外気が入るので寒いのです。
ホースの太さ１７パイプを（図面−４）１４のパイプを１９の薄板と１８薄板で１ｍｍスキマを開け合わせてエアーを送る装置です。
ドアーと壁の間が３ｍｍで送風ができる方法です、上のスキマは３ｍｍの所はパッキングで封鎖をします。（図面−５）の１４の所に固定する
【図面の簡単な説明】
【００１４】
【図−１】マイナスイオン発生装置の全体の平面図。湯壺の蛇口にツリ下げてプクプクマイナイスイオン発生装置図。
【図−２】断面図
【図−３】平面図  濃度の高いマイナスイオンボール収納平面図・
【図−４】断面図  エアーホースを脱衣室から浴室に空気を送るホースがドアーとのスキマが出来る、其のスキマを最小限する方法の部品。
【図−５】略図  （図面−４）の取り付け位置）略図。
【符号の説明】
【００１５】１    パック（鉱石収納装置）
２    エアー吸い込み口
３    エアー外周からの送風口
４    上蓋アミ
５    エアー吹き出し口
６    トルマリン鉱石
７    マイナスイオン濃縮鉱石
８    ツリ金具
９    濃度の高いマイナスイオン鉱石
１０  特殊マイナスイオ発生収納装置
１１  黒曜石
１２  イオン発生ミックス加工鉱石
１３  濃度の高いマイナスイオンボール発生鉱石
１４  送風パイプ
１５  エアー通風回路  矢印
１６  エアーホース  湯壺の本体へ取り付け口
１７  エアーホース
１８  ブロアー
１９  風呂場  出入り口
【図−１】
2014008065.tif 000005
【図−２】
2014008065.tif 000006
【図−３】
2014008065.tif 000007
【図−４】
2014008065.tif 000008
【図−５】
2014008065.tif 000009